(57)【要約】【課題】面倒な操作を伴うことなく、バルーンカテーテル、ロータブレータ、ガイドワイヤーなどの線条体を操作することができ、しかも、部品点数を低減したカテーテル用コネクタを提供する。【解決手段】本カテーテル用コネクタは、筒状の本体１０内にバルーンカテーテルまたはロータブレータ１０１、ガイドワイヤー１０２などの線条体１００を挿通する挿通孔１ａが形成され、該挿通孔１ａ内に止血弁２０が収納されている。この止血弁２０は、伸縮性を有し、最も細径のガイドワイヤー１０２の外径よりも小さな内径の小孔２１が形成されている。また、止血弁２０は、前記小孔２１を形成した中心から両端側へ次第に拡径する二連の漏斗形状に形成されている。【選択図】図１
2008000450.tif 000002
【特許請求の範囲】
【請求項１】
筒状の本体内にバルーンカテーテル、ロータブレータ、ガイドワイヤーなどの線条体を挿通する挿通孔が形成され、該挿通孔内に止血弁が収納されているカテーテル用コネクタであって、
前記止血弁は、伸縮性を有し、最も細径の線条体の外径よりも小さな内径の小孔が形成されていることを特徴とするカテーテル用コネクタ。
【請求項２】
前記止血弁は、前記小孔を形成した中心から両側へ次第に拡径する二連の漏斗形状に形成されていることを特徴とする請求項１に記載のカテーテル用コネクタ。
【請求項３】
前記止血弁は、前記小孔を形成した一端側から他端側へ次第に拡径する漏斗形状に形成されていることを特徴とする請求項１に記載のカテーテル用コネクタ。
【請求項４】
前記止血弁は、小孔の周囲が薄肉に形成され、周縁部が厚肉に形成されていることを特徴とする請求項２又は３に記載のカテーテル用コネクタ。
【請求項５】
前記本体に形成された挿通孔は、先端側から基端側に段差部をもって拡径し、
前記止血弁は、各周縁部が前記各段差部に係合するように挿通孔内に収納されていることを特徴とする請求項２又は４に記載のカテーテル用コネクタ。
【請求項６】
前記挿通孔の基端側端部を塞いで線条体を固定する栓体が備えられていることを特徴とする請求項１から５のいずれか一つに記載のカテーテル用コネクタ。
【発明の詳細な説明】
【技術分野】
【０００１】
本発明は、バルーンカテーテル、ロータブレータ、ガイドワイヤーなどの線条体が挿通される筒状の本体内に止血弁が収納されているカテーテル用コネクタに関する。
【背景技術】
【０００２】
冠動脈、脳の細動脈あるいは脚の動脈などが狭窄あるいは閉塞したときの治療法として経皮的な手術があり、この手術においてはバルーンカテーテルなどが使用されている。このバルーンカテーテルなどを操作している時であっても、止血することができるようにしたＹコネクタが特許文献１に開示されている。
【０００３】
このＹコネクタは、図１０（特許文献１の図１に基づいて作成）に示すように、バルーンカテーテルやガイドワイヤーなどの線条体１００が挿通される筒状のメインブランチ１１０と、液剤注入器（図示せず）が接続される筒状のサブブランチ１２０とを備え、サブブランチ１２０がメインブランチ１１０の中間から約６０°の角度をもって分岐し、メインブランチ１１０の孔とサブブランチ１２０の孔とは分岐部分で連通している。メインブランチ１１０には、筒状の本体１１１、プッシャー１１２、スクリュー１１３、オープナー１１４そしてロテーター１１５が備えられている。
【０００４】
本体１１１の基端部は、わずかに拡径し、内部に固定弁１１６が収納されている。固定弁１１６は、シリコンゴムなどによって成形された筒状体で、長手方向に圧縮されることによって孔の径が収縮し、収縮された状態で孔内に挿入された線条体１００を固定する。
【０００５】
また、プッシャー１１２は、基端側に鍔部を形成した筒体であり、定常状態において鍔部が本体１１１の端縁と離隔するように先端側が本体１１１内に挿入され、長手方向に押圧されることによって、鍔部が本体１１１の端縁と接合し、先端縁が固定弁１１６を長手方向に圧縮する。
【０００６】
そして、スクリュー１１３は、基端側にボスを設けた筒状体で、本体１１１の基端部に進退可能に螺着されている。すなわち、本体１１１の基端部には、雄ネジが形成され、スクリュー１１３の筒体の内周面には雌ネジが形成されている。
【０００７】
前記プッシャー１１２とスクリュー１１３との間に第１の止血弁１１７が挟まれ、前記プッシャー１１２と固定弁１１６との間に第２の止血弁１１８が挟まれている。この第１、第２の止血弁１１７，１１８は、シリコンゴムなどによって成形された板状体で、中央にスリットが形成され、血液が流出することなく線条体１００が進退できるようにされている。なお、第２の止血弁１１８は、第１の止血弁１１７よりも薄く形成されている。
【０００８】
そして、オープナー１１４は、基端にドーナツ盤状の盤状部１１４ａを設けた筒体であり、前記スクリュー１１３のボスからプッシャー１１２内に移動できるように挿入されている。このオープナー１１４が仮想線に示すように押された時に、盤状部１１４ａがボスに当接することにより、オープナー１１４がスクリュー１１３内に埋め込まれることがない。
【０００９】
また、ロテーター１１５は、二重の筒状体であり、基端部が周方向に回転自在に本体１１１の先端部に接続されている。ロテーター１１５の先端部には、ガイディングカテーテル１３０の基端部１３１が連結される。
【００１０】
そして、サブブランチ１２０の開口端部は、三方活栓（図示せず）が接続され、初期状態において閉止されている。
【００１１】
このようなＹコネクタにあっては、線条体１００がオープナー１１４、スクリュー１１３、本体１１１そしてロテーター１１５の各孔を貫通する。そして、スクリュー１１３が回転操作されることにより、プッシャー１１２が先端側へ移動し、固定弁１１６の孔が収縮することによって線条体１００が固定弁１１６によって固定される。
【００１２】
このとき、メインブランチ１１０およびサブブランチ１２０の両孔内は、血液が充満する。しかし、線条体１００は、第１、第２の止血弁１１７，１１８のスリットを貫通し、包み込まれた状態となっているため、血液がメインブランチ１１０の孔内から外部に流出することはない。
【００１３】
そして、線条体１００を軽く進退することができるようにするなど、一時的に操作性を向上させる時は、スクリュー１１３を回転操作することによって、固定弁１１６が線条体１００を固定しない状態とし、オープナー１１４を先端側へ移動させる。すると、第１の止血弁１１７のスリットが広げられ、線条体１００が第１の止血弁１１７に包み込まれない状態となる。この時、メインブランチ１１０の孔内の血液は、第２の止血弁１１８によって止血されるため、外部に流出しないようにされている。
【００１４】
【特許文献１】特開２００５−２６１７５９号公報
【発明の開示】
【発明が解決しようとする課題】
【００１５】
特許文献１に開示されたＹコネクタは、固定弁１１６が縮径することによって線条体１００を固定し、また、第１、第２の止血弁１１７，１１８が線条体１００を包み込む状態となって、メインブランチ１１０内に流入した血液が流出しないようにされている。したがって、線条体１００を軽く進退させるときには、固定弁１１６の孔や第１の止血弁１１７のスリットが広がるようにスクリュー１１３やオープナー１１４などを操作しなければならない。
【００１６】
しかし、一方の手でＹコネクタを保持しつつ、他方の手でスクリュー１１３やオープナー１１４などを操作し、線条体１００を進退させるのは大変、煩雑な操作であり、手術にも悪影響を及ぼしかねない。また、線条体１００を進退させる時は、第１の止血弁１１７のスリットが広げられるため、血液が流出してしまう。さらに、ガイディングカテーテル１３０をロテーター１１５に接続した時に、メインブランチ１１０の孔内の空気が排出されるが、血液も流出する。そして、このＹコネクタは、止血のために、第１、第２の止血弁１１７，１１８、プッシャー１１２、スクリュー１１３やオープナー１１４などを製造し、本体１１１内に取り付けなければならないことから、製造部品や製造工程が多くなり、コストダウンを図ることが困難である。
【００１７】
そこで、本発明は、面倒な操作を伴うことなく、バルーンカテーテルやガイドワイヤーなどの線条体を操作することができ、しかも、部品点数を低減したカテーテル用コネクタを提供することを課題とする。
【課題を解決するための手段】
【００１８】
本発明に係るカテーテル用コネクタは、筒状の本体内にバルーンカテーテル、ロータブレータ、ガイドワイヤーなどの線条体を挿通する挿通孔が形成され、該挿通孔内に止血弁が収納されているカテーテル用コネクタであって、前記止血弁は、伸縮性を有し、最も細径の線条体の外径よりも小さな内径の小孔が形成されていることを特徴としている。
【００１９】
このカテーテル用コネクタは、まず、本体の先端部が血管内に挿入されたガイディングカテーテルの基端部と接続される。このとき、ガイディングカテーテル内に血液が流入することにより、本体部の先端部と止血弁との間（以下、「先端側」という。）の挿通孔内の空気が止血弁に形成された小孔から排気される。そして、ガイディングカテーテル内の血液が本体の先端側の挿通孔内に流入する。しかし、この血液は、小孔の内径が血液の粘性に対して十分小さく形成されていることから、小孔からほとんど流出しない。
【００２０】
そして、細管状のイントロデューサーの先端部がガイディングカテーテルの基端部内に位置するように、医師などの術者がイントロデューサーを本体内に挿入する。小孔の内径がイントロデューサーの外径よりも小さくされており、しかも止血弁が伸縮性を有していることから、イントロデューサーは、小孔を拡径するように小孔内を貫通し、イントロデューサーと止血弁とは隙間なく密着する。しかし、本体の先端側の挿通孔内の血液は、イントロデューサー内から流出し始める。
【００２１】
そこで、術者は、早急にイントロデューサー内からガイディングカテーテル内に最も細径の線条体であるガイドワイヤーを挿入する。ガイドワイヤーの先端部がイントロデューサーの先端部から突出した後、術者は、イントロデューサーを本体内から引き抜く。すると、止血弁の小孔が収縮し、止血弁とガイドワイヤーとが隙間なく密着し、本体の先端側の挿通孔内の血液は流出しないようになる。
【００２２】
その後、術者は、ガイドワイヤーに沿って線条体であるバルーンカテーテルまたはロータブレータを挿入する。止血弁の小孔内は、バルーンカテーテルまたはロータブレータおよびガイドワイヤー（以下、「２本の線条体」ともいう。）が並列して貫通する。止血弁の小孔は収縮するため、２本の線条体と止血弁とは隙間なく密着し、本体の先端側の挿通孔内の血液は、２本の線条体と止血弁との間から流出しない。
【００２３】
治療後は、術者が２本の線条体を血管および本体の挿通孔内から引き抜く。すると、止血弁の小孔内には、２本の線条体が存在しなくなるが、小孔の内径が血液の粘性に対して十分小さく形成されていることから、本体の先端側の挿通孔内の血液は、小孔からほとんど流出しない。
【００２４】
そして、本カテーテル用コネクタを使用する術者は、スクリューやプッシャーなどの部品を操作することなく、ガイドワイヤーやバルーンカテーテルまたはロータブレータなどの線条体の操作に集中することができる。
【００２５】
また、前記本発明に係るカテーテル用コネクタにおいて、前記止血弁は、前記小孔を形成した中心から両側へ次第に拡径する二連の漏斗形状に形成されていることが好ましい。
【００２６】
このカテーテル用コネクタによれば、止血弁が二連の漏斗形状に形成されていることにより、本体内に挿入された線条体の先端部は、止血弁の漏斗形状の内側面に案内されて、小孔内に導入される。そして、止血弁は、小孔を形成した中心が縮径された二連の漏斗形状に形成されていることから、小孔を形成した中心が伸縮しやすくされている。さらに、小孔は、二連の漏斗形状に形成された中心に形成されることにより、ロータブレータのように先端部が拡大した線条体を引き抜く操作をスムーズに行うことができる。
【００２７】
また、前記本発明に係るカテーテル用コネクタにおいて、前記止血弁は、前記小孔を形成した一端側から他端側へ次第に拡径する漏斗形状に形成されていてもよい。
【００２８】
このカテーテル用コネクタによれば、止血弁は、小孔が本体の先端側に位置するように挿通孔内に収納される。そして、バルーンカテーテルのような先端部を拡大していない線条体は、止血弁の漏斗形状の内側面に案内されて小孔内に導入される。そして、この止血弁の先端側が漏斗形状に形成されていないものの、バルーンカテーテルのような線条体の先端部は、拡大していないため、小孔内からスムーズに引き抜かれる。
【００２９】
また、前記本発明に係るカテーテル用コネクタにおいて、前記止血弁は、小孔の周囲が薄肉に形成され、周縁部が厚肉に形成されていることが好ましい。
【００３０】
このカテーテル用コネクタによれば、小孔の周囲が薄肉に形成されることにより、小孔はスムーズに伸縮し、また、止血弁の拡径された周縁部が厚肉に形成されることにより、長さ方向に伸縮するなど変形しにくく、線条体を進退させるときにも、線条体と小孔とが密着した状態を維持する。
【００３１】
また、前記本発明に係るカテーテル用コネクタにおいて、前記本体に形成された挿通孔は、先端側から基端側に段差部をもって拡径し、前記止血弁は、各周縁部が前記各段差部に係合するように挿通孔内に収納されていることが好ましい。
【００３２】
このカテーテル用コネクタによれば、止血弁は、段差部をもって拡径した挿通孔内に収納される。そして、止血弁の一端側の周縁部が本体の先端側に形成された段差部に係止され、他端側の周縁部が本体の基端側に形成された段差部に係止する状態となるため、止血弁は、位置ずれしにくいように収納することができる。
【００３３】
また、前記本発明に係るカテーテル用コネクタにおいて、前記挿通孔の基端側端部を塞いで線条体を固定する栓体が備えられていることが好ましい。
【００３４】
このカテーテル用コネクタによれば、線条体が所定の位置まで挿入された状態において、挿通孔の基端側端部が栓体によって塞がれることにより、線条体が固定され、医師などの術者は他の操作を容易に行うことができるようになる。
【発明の効果】
【００３５】
本発明に係るカテーテル用コネクタによれば、止血弁が伸縮性を有し、筒状の本体内の挿通孔内に挿通される線条体の外径よりも小さな内径の小孔を形成したものとされていることにより、線条体が本体の挿通孔内を挿通していない状態において、本体の先端側の挿通孔内の空気が排気され、線条体が本体の挿通孔内を進退させる状態において、線条体と止血弁とが隙間なく密着するため、本体の先端側の挿通孔内に流入した血液が流出しないようにすることができる。
【００３６】
したがって、本カテーテル用コネクタを使用する医師などの術者は、スクリューやプッシャーなどの部品を操作することなく線条体を操作することができるため、線条体の操作が容易になり、手術の際の負担を軽減することができる。また、部品点数が低減されるため、カテーテル用コネクタのコストダウンを図ることができる。
【発明を実施するための最良の形態】
【００３７】
本発明に係るカテーテル用コネクタの一実施形態について図１から図８を参照しながら説明する。このカテーテル用のコネクタは、同図に示すように、Ｙコネクタであり、バルーンカテーテル１０１やガイドワイヤー１０２などの線条体１００（図８参照）が挿通される筒状のメインブランチ１と、シリンジ（図示せず）が接続される筒状のサブブランチ２とを備え、サブブランチ２がメインブランチ１の中間から約６０°の角度をもって分岐し、メインブランチ１の挿通孔１ａとサブブランチ２の注入孔２ａとは分岐部で連通している。
【００３８】
メインブランチ１には、段付き筒状の本体１０と、小孔２１を形成した止血弁２０と、本体１０の基端部に取り付けられるキャップ３０と、キャップ３０に取り付けられる栓体４０と、本体１０の先端部に取り付けられるロテーター５０とが備えられている。本体１０内には、挿通孔１ａが形成されており、この挿通孔１ａには、図３に示すように、先端側から基端側に段差部をもって拡径する細管部１１、収納部１２、太管部１３が連続して設けられ、収納部１２、太管部１３に段差部１２a，１３ａが形成されている。また、収納部１２の段差部１２aには、座ぐり１２ｂが形成され、段差部１２ａと細管部１１との境界部が曲面状に形成されている。
【００３９】
この収納部１２内に止血弁２０が収納される。止血弁２０は、エラストマやシリコンゴムなど伸縮性を有する材料によって、図４および図５に示すように、小孔２１を形成した中心から両端側へ次第に拡径する二連の漏斗形状に形成されている。この止血弁２０は、図６に示すように、小孔２１を形成した中心が薄肉で、各周縁部２２，２３に向かって次第に厚肉となるように形成されている。小孔２１の内径は、最も細径のガイドワイヤー１０２よりも小さくされている。
【００４０】
そして、止血弁２０が伸縮性を有し、漏斗形状に形成され、しかも中心が薄肉に形成されていることにより、この小孔２１は挿入される線条体１００の直径に応じて拡張する。また、止血弁２０は、中心から各周縁部２２，２３に向かって次第に厚肉に形成されていることから、長さ方向に伸縮して変形することがないようにされている。そして、止血弁２０は、図３に示すように、先端側の周縁部２２が挿通孔１ａの座ぐり１２ｂに係合し、基端側の周縁部２３が太管部１３の段差部１３ａに係合するように形成され、止血弁２０が収納部１２内に安定した状態で収納される。
【００４１】
そして、キャップ３０は、本体１０の基端部を挟むように被さる二重の筒状体であり、外側の筒体３１と内側の筒体３２との間の基端部には底部が形成され、内側の筒体３２内が挿通孔１ａとされている。また、キャップ３０の内側の筒体３２が本体１０の太管部１３内に挿入され、内側の筒体３２の先端縁が本体１０の収納部１２内に収納された止血弁２０の基端側の周縁部２３に当接し、止血弁２０を固定する。
【００４２】
そして、栓体４０は、キャップ３０の内側の筒体３２内の挿通孔１ａの基端部を塞ぎ、挿通孔１ａに挿通された線条体１００を固定する。この栓体４０は、図１にも示すように、キャップ３０と本体１０とに挟まれるリング部４１に連結帯４２によって繋がれ、紛失しないようにされている。
【００４３】
そして、ロテーター５０は、本体１０の先端部に周方向に回転自在に取り付けられもので、図３に示すように、環状溝５１を形成した二重の筒体であり、外側の筒体５２の内面に雌ネジが形成されている。このロテーター５０の環状溝５１内にガイディングカテーテル１３０の基端部１３１が挿入され、螺合される。したがって、ガイディングカテーテル１３０の基端部１３１には、雄ネジが形成されている。
【００４４】
一方、サブブランチ２の開口端部には、三方活栓（図示せず）が取り付けられ、初期状態において、サブブランチ２の注入孔２ａが塞がれている。
【００４５】
本実施形態におけるカテーテル用コネクタは、以上のように構成され、次に使用方法について説明する。このカテーテル用コネクタを使用するに先立ち、医師などの術者は、このカテーテル用コネクタを接続していないガイディングカテーテル１３０を血管内に挿入する。そして、ガイディングカテーテル１３０の先端部が患部付近まで到達すると、術者は、ガイディングカテーテル１３０の基端部１３１を前記ロテーター５０に接続する。
【００４６】
このガイディングカテーテル１３０内には、血液が徐々に流入する。すると、ガイディングカテーテル１３０内の空気および本体１０の先端側の挿通孔１ａ内の空気が、ガイディングカテーテル１３０内の血液に押し出される状態となり、止血弁２０に形成された小孔２１から排気される。
【００４７】
その後、ガイディングカテーテル１３０内に流入した血液は、本体１０の先端側の挿通孔１ａ内に充満する。この本体１０の先端側の挿通孔１ａ内に充満した血液は、止血弁２０によって本体１０の基端側の挿通孔１ａの方へほとんど流出しない。止血弁２０には、小孔２１が形成されているが、血液は、粘性を有しているため、小孔２１からほとんど流出しない。また、止血弁２０は、キャップ３０の内側の筒体３２の先端縁に当接しているため、血液によって押し流されることもない。
【００４８】
そして、術者は、メインブランチ１の挿通孔１ａ内に細管状のイントロデューサー（図示せず）を挿入する。イントロデューサーの先端部は、止血弁２０の漏斗形状に形成された内側面に沿って小孔２１の方へ案内される。また、イントロデューサーが小孔２１を貫通するとき、止血弁２０は、周縁部２２，２３に向かって次第に厚肉に形成されているため、小孔２１がイントロデューサーに引っ張られ、長さ方向に伸縮するなど変形しない。
【００４９】
そして、イントロデューサーの先端部が小孔２１を貫通し、細管部１１内に進入する。イントロデューサーの先端部が偏向していても、段差部１２ａと細管部１１との境界が曲面状に形成されていることにより、イントロデューサーの先端部は段差部１２ａに突き当たることなく、細管部１１内に進入し、そして、ガイディングカテーテル１３０の基端部１３１に位置する。この時、イントロデューサーと小孔２１とは、止血弁２０が伸縮性を有していることから、隙間なく密着するが、本体１０の先端側の挿通孔１ａ内に充満している血液が、イントロデューサー内から流出する。
【００５０】
そこで、術者は、最も細径の線条体１００であるガイドワイヤー１０２をイントロデューサー内からガイディングカテーテル１３０内に早急に挿入する。ガイドワイヤー１０２は、先端部がわずかにカーブしているが、イントロデューサーを使用することによって、ガイドワイヤー１０２の先端部をガイディングカテーテル１３０内にスムーズに挿入することができる。
【００５１】
ガイドワイヤー１０２の先端部がイントロデューサーの先端部から突出すると、イントロデューサーをメインブランチ１の挿通孔１ａ内から素早く引き抜く。すると、止血弁２０は、伸縮性を有していることから、小孔２１が縮径し、図７に示すように、ガイドワイヤー１０２と止血弁２０とが密着する。したがって、本体１０の先端側の挿通孔１ａ内に充満している血液は、ガイドワイヤー１０２と止血弁２０との間から流出しなくなる。なお、イントロデューサーを引き抜くとき、止血弁２０は、イントロデューサーを挿入するときと同様、長さ方向に伸縮するなど変形しない。
【００５２】
そして、術者は、バルーンカテーテルまたはロータブレータ１０１をガイドワイヤー１０２の基端部からガイディングカテーテル１３０内に挿入する。このバルーンカテーテルまたはロータブレータ１０１は、ガイドワイヤー１０２とともに小孔２１内を貫通する。小孔２１は、バルーンカテーテルまたはロータブレータ１０１の外径分だけ拡径し、このバルーンカテーテルまたはロータブレータ１０１およびガイドワイヤー１０２は、図８に示すように、止血弁２０と隙間なく密着する。したがって、本体１０の先端側の挿通孔１ａ内に充満している血液が、バルーンカテーテルまたはロータブレータ１０１およびガイドワイヤー１０２と止血弁２０との間から流出しない。そして、術者は、従来のスクリューやプッシャーなどの部品を操作することなく、術者はバルーンカテーテルまたはロータブレータ１０１の先端が患部に到達するように操作することができる。
【００５３】
バルーンカテーテルまたはロータブレータ１０１の先端部が患部に位置すると、術者は栓体４０をキャップ３０の挿通孔１ａに挿し込み、バルーンカテーテル１０１とガイドワイヤー１０２とを固定する。そして、バルーンカテーテル１０１の基端部に加圧器（図示せず）を接続し、バルーンカテーテル１０１内に造影剤を注入することにより、バルーンを拡張し、閉塞した血管を拡径する。あるいは、ロータブレータ１０１を操作して、閉塞した血管を拡径する。
【００５４】
そして、術者は、バルーンを収縮させた後、栓体４０をキャップ３０の挿通孔１ａから外し、ガイディングカテーテル１３０内およびメインブランチ１の挿通孔１ａ内からバルーンカテーテルまたはロータブレータ１０１を引き抜き、続いてガイドワイヤー１０２を引き抜く。ロータブレータ１０１のように、先端部が拡大していても、止血弁２０の先端側が漏斗形状に形成されていることにより、ロータブレータ１０１の先端部は、止血弁２０の先端側の内側面に沿って小孔２１からスムーズに引き抜かれる。バルーンカテーテルまたはロータブレータ１０１が止血弁２０の小孔２１内を進退するとき、止血弁２０は、周縁部２２，２３の方に次第に厚肉に形成されていることにより、長さ方向に変形することなく、バルーンカテーテルまたはロータブレータ１０１と小孔２１とは密着した状態を維持し、血液が小孔２１から流出しない。
【００５５】
また、小孔２１からバルーンカテーテルまたはロータブレータ１０１とガイドワイヤー１０２とが引き抜かれた止血弁２０の小孔２１は、図６に示すように収縮するため、血液が小孔２１からほとんど流出することはない。最後に、術者は、カテーテル用コネクタを接続したままのガイディングカテーテル１３０を血管から引き抜き、止血する。このように、術者は、各線条体１００を進退させる操作中において、本体１０の先端側の挿通孔１ａ内に充満している血液が流出しないようにスクリューやオープナーなどの部品を操作する必要がないため、手術の負担が軽減される
【００５６】
なお、本発明は、前記実施の形態に限定することなく、特許請求の範囲に記載された発明特定事項の範囲内において種々変更することができる。例えば、ロータブレータを使用せず、バルーンカテーテルのみ使用するときは、止血弁２０は、二連の漏斗形状ではなく、図９に示すように、小孔２１（図９において図示せず）を形成した一端側から他端側へ次第に拡径する単なる漏斗形状としてもよい。あるいは、止血弁２０は、小孔２１を形成した皿状ないし盤状としてもよい。また、本発明に係るカテーテル用コネクタは、Ｙコネクタではなく、ブランチを有していないタイプ、逆に２本以上のブランチを有しているタイプであっても実施することができる。また、栓体４０は、必ずしも備えられなくてもよい。
【図面の簡単な説明】
【００５７】
【図１】本発明に係るカテーテル用コネクタの一実施形態を示す分解斜視図である。
【図２】本発明に係るカテーテル用コネクタの一実施形態を示す斜視図である。
【図３】本発明に係るカテーテル用コネクタの一実施形態を示す断面正面図である。
【図４】本発明に係るカテーテル用コネクタを構成している止血弁の一実施形態を示す斜視図である。
【図５】本発明に係るカテーテル用コネクタを構成している止血弁の一実施形態を図４と異なる方向から示す斜視図である。
【図６】本発明に係るカテーテル用コネクタを構成している止血弁の一実施形態を示す断面正面図である。
【図７】本発明に係るカテーテル用コネクタを構成している止血弁の一実施形態を示す断面正面図である。
【図８】本発明に係るカテーテル用コネクタを構成している止血弁の一実施形態を示す断面正面図である。
【図９】本発明に係るカテーテル用コネクタを構成している止血弁の前記と異なる実施形態を示す斜視図である。
【図１０】従来のカテーテル用コネクタの一例を示す断面正面図である。
【符号の説明】
【００５８】
１ａ……挿通孔
１０……本体
１２ａ…段差部
１３ａ…段差部
２０……止血弁
２１……小孔
２２……周縁部
２３……周縁部
４０……栓体
１００…線条体
１０１…バルーンカテーテルまたはロータブレータ
１０２…ガイドワイヤー
【図１】
2008000450.tif 000003
【図２】
2008000450.tif 000004
【図３】
2008000450.tif 000005
【図４】
2008000450.tif 000006
【図５】
2008000450.tif 000007
【図６】
2008000450.tif 000008
【図７】
2008000450.tif 000009
【図８】
2008000450.tif 000010
【図９】
2008000450.tif 000011
【図１０】
2008000450.tif 000012